(57)【要約】【課題】発光ユニットの基板部を隠し、ＬＥＤモジュールだけ露出させてより見掛けのするＬＥＤ照明装置を提供すること。【解決手段】筒状の内部空間と連通する開口を有するハウシングと、その一面が前記開口に向けて取り付けられる基板部と、該一面に取り付けられる発光ダイオードとを有する発光ユニットと、を備えるＬＥＤ照明装置であって、前記発光ユニットに取り付けられる発光ダイオードと前記開口との間に配置され、前記発光ユニットにおける発光ダイオードの取り付け位置に対応して前記発光ダイオードによる光だけを通過させる透光口が形成されて前記開口から前記発光ユニットの発光ダイオード以外の部分が見えないように覆うカバーを更に有することを特徴とするＬＥＤ照明装置を提供する。【選択図】        図２
0003136560.tif 000002
【実用新案登録請求の範囲】
【請求項１】
筒状の内部空間と連通する開口を有するハウシングと、
その一面が前記開口に向けて取り付けられる平板状の基板部と、該一面に取り付けられる発光ダイオードとを有する発光ユニットと、を備えるＬＥＤ照明装置であって、
前記発光ユニットに取り付けられる発光ダイオードと前記開口との間に配置され、前記発光ユニットにおける発光ダイオードの取り付け位置に対応して前記発光ダイオードによる光だけを通過させる透光口が形成されて前記開口から前記発光ユニットの発光ダイオード以外の部分が見えないように覆うカバーを更に有することを特徴とするＬＥＤ照明装置。
【請求項２】
前記発光ユニットには、該発光ユニットに取り付けられている各発光ダイオードにそれぞれ対応して取り付けられる集光手段を更に備えることを特徴とする請求項１に記載のＬＥＤ照明装置。
【請求項３】
その一面が前記発光ユニットの基板部の他面と接触し、その外周縁が前記ハウシングの内周面と対応して接触するように取り付けられる放熱板と、
リング状に形成されてその一端は前記放熱板が基板部と接触する一面と接触し、その外周面は前記ハウシングの内周面と対応して接触するように取り付けられ、その内周面には縮径して前記開口に臨む段面を有する縮径部が形成されている導熱リングと、を更に有し、
前記カバーは周縁部が前記導熱リングの縮径部が形成されたことにより出来た段面と当接するように前記ハウシング内に取り付けられることを特徴とする請求項１に記載のＬＥＤ照明装置。
【請求項４】
前記カバーは金属材からなることをを特徴とする請求項１に記載のＬＥＤ照明装置。
【考案の詳細な説明】
【技術分野】
【０００１】
本考案はＬＥＤ照明装置に関し、特に、発光手段の外観がより見掛けのするＬＥＤ照明装置に関する。
【背景技術】
【０００２】
図１に示すのは従来のＬＥＤ照明装置の一例の分解図である。該ＬＥＤ照明装置１は、ハウシング１５内には基板１１と基板１１に取り付けられる３つのＬＥＤモジュール１２、１２、１２とからなる発光ユニットが取り付けられており、そして発光ユニットの外側には透明材料からなる透光板１３が配置されている。
【０００３】
このように構成された該ＬＥＤ照明装置１は、基板１１に配置されるＬＥＤモジュール１２、１２、１２を駆動するのに必要な電線１４や、ＬＥＤモジュール１２を基板１１に取り付けるのに用いた接着剤１５などが、透光板１３を通して外部から丸見えなので、見映えが甚だしく損なわれている。
【特許文献１】台湾実用新案出願９５２１９６１８号
【考案の開示】
【考案が解決しようとする課題】
【０００４】
上記問題点に鑑みて、本考案は発光ユニットの基板部を隠し、ＬＥＤモジュールだけ露出させてより見掛けのするＬＥＤ照明装置を提供することを目的とする。
【課題を解決するための手段】
【０００５】
上記目的を達成するため、本考案は筒状の内部空間（１）と連通する開口（２２）を有するハウシング（２）と、その一面が前記開口に向けて取り付けられる平板状の基板部（４１）と、該一面に取り付けられる発光ダイオード（４２１）とを有する発光ユニット（４）と、を備えるＬＥＤ照明装置であって、前記発光ユニットに取り付けられる発光ダイオードと前記開口との間に配置され、前記発光ユニットにおける発光ダイオードの取り付け位置に対応して前記発光ダイオードによる光だけを通過させる透光口が形成されて前記開口から前記発光ユニットの発光ダイオード以外の部分が見えないように覆うカバー（６）を更に有することを特徴とするＬＥＤ照明装置を提供する。
【０００６】
上記ＬＥＤ照明装置において、前記発光ユニットには、該発光ユニットに取り付けられている各発光ダイオードにそれぞれ対応して取り付けられる集光手段（４２２）を更に備えるように構成することが好ましい。
【０００７】
上記ＬＥＤ照明装置は、その一面が前記発光ユニットの基板部の他面と接触し、その外周縁が前記ハウシングの内周面と対応して接触するように取り付けられる放熱板（３）と、リング状に形成されてその一端は前記放熱板が基板部と接触する一面と接触し、その外周面は前記ハウシングの内周面と対応して接触するように取り付けられ、その内周面には縮径して前記開口に臨む段面（５３２）を有する縮径部（５３１）が形成されている導熱リングと、を更に備え、前記カバー（６）は周縁部が前記導熱リングの縮径部（５３１）が形成されたことにより出来た段面（５３２）と当接するように前記ハウシング内に取り付けられるように構成することが好ましい。
【０００８】
また、前記カバーは金属材からなることが好ましい。
【考案の効果】
【０００９】
上記構成によると、本考案は、発光ユニットにおける発光ダイオードの取り付け位置に対応して発光ダイオードによる光だけを通過させる透光口が形成されてそれ以外の部分を見えないように覆うカバーを更に備えるので、基板部に必要だが見映えを損なう電線や、ＬＥＤモジュールを基板に取り付けるのに用いた接着剤などを隠すことにより、見掛けのするＬＥＤ照明装置を提供することが出来る。
【考案を実施するための最良の形態】
【００１０】
以下は図示を参照しながら、本考案のＬＥＤ照明装置について詳しく説明する。
【００１１】
図２に示すのは本考案のＬＥＤ照明装置の分解図であり、図３に示すのは本考案のＬＥＤ照明装置の組み立てた状態の縦断面図であり、図４に示すのは本考案のＬＥＤ照明装置の組み立てた状態で、正面から見える様子を示す図である。図２、図３に示すように、該ＬＥＤ照明装置は主にハウシング２と、放熱板３と、発光ユニット４と、導熱手段リング５と、カバー６と、シール手段７とを備えてなるものである。
【００１２】
略円管状に形成されたハウシング２の一端には内部空間２１と連通する開口２２が形成されており、その内壁面２３には縮径部２４と、縮径部２４に突設された複数のリブ２５、２５、２５…とが形成されており、縮径部２４及び各リブ２５、２５、２５の開口２２に臨む一端には、平面になっている段部２５１が形成されている。
【００１３】
円盤状の放熱板３はハウシング２に対応し、その一面が開口２２に臨み、その外周縁３１がハウシング２の内壁面２３と接触すると共に、その他面が段部２５１と当接するようにハウシング２の内部空間２１内に取り付けられることができるように形成されている。
【００１４】
発光ユニット４は、放熱板３の開口２２に臨む一面と接触するように取り付けられるアルミニウム材の平板状の基板部４１と、該基板部４１に取り付けられて開口２２に向けて発光する複数のＬＥＤ発光モジュール４２、４２、４２…とを備えてなるものである。本考案において、それぞれのＬＥＤ発光モジュール４２は、発光ダイオード４２１と、発光ダイオード４２１から発生する光を開口２２に向けて射出するように集光する集光手段４２２とを備えてなるものである。また、基板部４１には、各ＬＥＤ発光モジュール４２、４２、４２…を制御する電気回路４１１と、各ＬＥＤ発光モジュール４２、４２、４２…と電気回路４１１を電気的に接続する電線４１２と、ＬＥＤ発光モジュール４２を基板部４１に取り付けるのに用いる接着剤４１３とを有している。
【００１５】
リング状に形成された導熱リング５は、その一端５１が放熱板３の一面、即ち開口２２に臨む一面に接触し、その外周面５２がハウシング２の内壁面２３と接触すると共に、各ＬＥＤ発光モジュール４２、４２、４２…を囲むことができるよう、放熱板３と開口２２の間に配置されている。更に、導熱リング５の内周面５３には縮径して形成された縮径部５３１と、該縮径部５３１の形成により出来た前記開口に臨む段面５３２を有している。
【００１６】
金属材からなるカバー６は導熱リング５の内径を対応し、その周縁部６１が導熱リング５の内周面５３と接触するように円盤状に形成され、導熱リング５内の段面５３２と当接するように取り付けられている。そして、カバー６には更に導熱リング５により囲まれている各ＬＥＤ発光モジュール４２、４２、４２…の位置及び数に対応して形成されている透光口６２、６２、６２…を有しており、これによって、各ＬＥＤ発光モジュール４２、４２、４２…による光だけを通過させてその他も部分開口２２から見えないように覆うことができる。
【００１７】
シール手段７は透明材料からなりカバー６覆う透光板７１と、透光板７１の周縁とハウシング２の内壁面２２の間にある環状の隙間を封じる防水リング７２と、円環状に形成されて開口２２側から防水リング７２をハウシング２の内側へ押し込むキャップ７３と、キャップ７３をハウシング２に固定するねじ７４、７４、７４…とからなるものである。
【産業上の利用可能性】
【００１８】
上記構成によって、本考案は図４に示すように、開口２２側からでは発光ユニット４の各ＬＥＤ発光モジュール４２、４２、４２…しか見えることが出来ず、その他見映えを損なう部分はすべてカバー６により隠されるので、より見掛けのするスタイリッシュなＬＥＤ照明装置を提供することが出来る。
【図面の簡単な説明】
【００１９】
【図１】従来のＬＥＤ照明装置の一例を示す分解図。
【図２】本考案のＬＥＤ照明装置の分解図。
【図３】同ＬＥＤ照明装置の組み立てた状態の縦断面図。
【図４】同ＬＥＤ照明装置の組み立てた状態で、正面から見える様子を示す図。
【符号の説明】
【００２０】
２  ハウシング
３  放熱板
４  発光ユニット
５  導熱手段リング
６  カバー
７  シール手段
２１  内部空間
２２  開口
２３  内壁面
２４  縮径部（ハウシング）
２５  リブ
２５１  段部
３１  外周縁（放熱板）
４１  基板部
４２  ＬＥＤ発光モジュール
４２１  発光ダイオード
４２２  集光手段
４１１  電気回路
４１２  電線
４１３  接着剤
５１  導熱リングの一端
５２  導熱リングの外周面
５３  導熱リングの内周面
５３２  段面
５３１  縮径部（導熱リング）
６１  周縁部
６２  透光口
７１  透光板
７２  防水リング
７３  キャップ
７４  ねじ
【図１】
0003136560.tif 000003
【図２】
0003136560.tif 000004
【図３】
0003136560.tif 000005
【図４】
0003136560.tif 000006